(57)【要約】【課題】  実使用環境におけるコモン電圧のずれを極力減少させ、表示品位の低下を防ぐ。【解決手段】  コモン電極に対し画素電極に画像データに応じた交流電圧を印加して液晶を駆動する液晶パネル１を使用した表示装置であって、前記画像信号Ｖｓｉｇに応じて前記画素電極を駆動するパネル駆動手段４と、前記液晶パネルに表示する画像信号のレベル分布を取得する信号レベル解析手段１１と、前記画像信号のレベル分布に応じて、前記コモン電極電圧ＶＣＯＭを制御するコモン電圧制御手段７、１０とを有する。【選択図】図１
2006163025.tif 000002
【特許請求の範囲】
【請求項１】
コモン電極に対し画素電極に画像データに応じた交流電圧を印加して液晶を駆動する液晶パネルを使用した表示装置であって、
前記画像信号に応じて前記画素電極を駆動するパネル駆動手段と、
前記液晶パネルに表示する画像信号のレベル分布を取得する信号レベル解析手段と、
前記画像信号のレベル分布に応じて、前記コモン電極電圧を制御するコモン電圧制御手段と
を有することを特徴とする表示装置。
【請求項２】
前記コモン電圧制御手段は、複数の画像信号レベルにて各々フリッカが最小になるよう調整された複数のコモン電圧を基に生成された調整データを有し、
前記画像信号のレベル分布と前記調整データを基に前記コモン電圧を可変制御することを特徴とする請求項１記載の表示装置。
【請求項３】
前記パネル駆動手段にて前記液晶パネルに対し複数の各階調のラスタ画像を表示させる手段と、それぞれの階調のラスタ画像を表示した状態で前記コモン電圧を変化させる手段と、表示画像のフリッカ成分が最小になるコモン電圧を検知する手段と、表示階調とフリッカ成分が最小になる電圧との関係を記憶する手段とをさらに有することを特徴とする請求項１に記載の表示装置。
【請求項４】
請求項１に記載の表示装置の調整方法であって、
前記液晶パネルに対し所望の階調のラスタ画像を表示させる画像信号を前記パネル駆動手段に入力し、前記コモン電圧を変化させて表示画像のフリッカ成分が最小になる電圧を検知する工程を複数の階調のラスタ画像にて実施することにより、表示階調とフリッカ成分が最小になる電圧との関係を取得し、前記コモン電圧制御手段に設定すること特徴とする調整方法。
【発明の詳細な説明】
【技術分野】
【０００１】
本発明は、液晶プロジェクタなどの液晶表示デバイスを使用した表示装置および該表示装置の調整方法に関するものである。
【背景技術】
【０００２】
現在、液晶プロジェクタや液晶モニタに使用される液晶表示デバイスは、ＴＦＴ（薄膜トランジスタ）を画素ごとに配置したアクティブマトリクス型が主流である。アクティブマトリクス液晶デバイスの内部回路の一例を図１０に示す。
図１０において、１００はゲート線、１０１はソース線、１０２はデータセレクト線、１０３はＴＦＴ、１０４はゲートドライバ、１０５はソースドライバ、１０６はコモン電極（共通電極）、１０７は液晶である。
【０００３】
ゲートドライバ１０３は走査するラインを決定し、ソースドライバは書き込む画素の水平方向の画素を決定する。例えば、（ｎ，ｍ）の画素に書き込む場合、ゲート線Ｙｍ＝Ｈｉ（ハイレベル）、データイネーブル線ＤＥｎ＝Ｈｉとなり、ＴＦＴｎｍおよびＴＦＴｄｎの両方がオンする。これにより、アナログ画像信号電圧ＬＣｓｉｇが液晶ＬＣｎｍに印加される。このように、水平方向（ソースドライバ）、および垂直方向（ゲートドライバ）を順次走査することで、画面全体に画像の書き込みを行う。
【０００４】
上記のような液晶パネルを表示デバイスとして使用した場合の従来の液晶駆動回路の駆動方法および調整方法に関して説明する。
図１１は図１０における駆動信号の、図１２は図１０における駆動回路の概略を示した図である。
図１１において、ＶＣＯＭはコモン電極に印加するコモン電圧、ＬＣｓｉｇはソースドライバ１０５経由にてソース線１０１に供給される画像信号、ＴＧｓｉｇはゲートドライバ１０４やソースドライバ１０５へタイミングを供給する駆動パルスである。ＬＣｓｉｇは中間電位Ｖｓｉｇｃｅｎｔを中心として正負対称に交流化された信号である。一方、ＶＣＯＭは調整工程にて決定されるＤＣ信号であり、液晶にはＬＣｓｉｇとＶＣＯＭの差分が印加されることになる。
【０００５】
図１２において、液晶パネル１１０はＬＣｓｉｇやＴＧｓｉｇを発生する液晶駆動回路１１１とコモン電圧ＶＣＯＭを発生するコモン電圧発生回路１１２にて駆動される。液晶駆動回路１１１は、図１０のゲートドライバ１０４、ソースドライバ１０５およびソースドライバ１０５によりゲートを駆動されてＴＦＴ１０３のソースに駆動パルスＬＣｓｉｇを供給するＴＦＴ１０８を含んでいる。
【０００６】
液晶表示デバイスの印加電圧（ＬＣｓｉｇ−ＶＣＯＭ）と透過率の関係（ＶＴ特性）は図１３に示すような特性であるため、コモン電圧のずれ、いわゆる液晶に対する正電圧印加時と負電圧印加時の差は、ＶＴ特性が急峻な部分にて顕著に表れやすい。このためコモン電圧の調整は、ＶＴ特性が急峻である適当な１つの中間調レベルにて、フリッカ成分を最小にするように行われるのが一般的である。具体的な調整手法には、特許文献１（特開平６−１３８８４２号公報）に記載されているようにフォトセンサを用いてフリッカが最小になるように調整される。
【０００７】
このように従来は、フリッカが顕著に表れやすい１つの画像信号レベル（一般的には中間調レベル）にてコモン電圧調整を行っていた。
しかしながら、実際には下記の理由で、コモン電圧調整を行う際の表示画像のレベルにより最適なコモン電圧が若干変化することがある。
【０００８】
例えば、ＴＦＴ１０３のＣｇｄ（ゲート−ドレイン間寄生容量）による影響である。
図１４にＴＦＴ部と画素部の等価回路を示す。１００がゲート線、１０１がソース線、１０３がＴＦＴ、１０６がコモン電極、１０７が液晶である。この図において、ＴＦＴ部にはゲートドレイン間寄生容量Ｃｇｄ、画素部には液晶層の容量Ｃｌｃおよび蓄積容量Ｃｓが存在する。ここで、ゲート線１００が選択状態（電圧Ｖｈ）から非選択状態（電圧Ｖｌ）になったときのことを考える。このとき、ＴＦＴのゲート電位がＶｈからＶｌになるので、画素に蓄積されている電圧Ｖｌｃは、選択状態から非選択状態への変化時において
ΔＶｌｃ＝（Ｖｈ−Ｖｌ）＊｛Ｃｇｄ／（Ｃｇｄ＋Ｃｌｃ＋Ｃｓ）｝‥‥‥（式１）
で表される、いわゆる突き貫け電圧が発生する。
つまり、ある画素に電圧Ｖｌｃを書き込んでも、ＴＦＴがオフした後では実際に液晶に印加される電圧としてはＶｌｃ−ΔＶｌｃになってしまう。
【０００９】
一方、液晶層の容量Ｃｌｃは画素電圧Ｖｌｃに起因するので、例えばＶｌｃが大きい時（ノーマリーホワイトのデバイスでは黒信号方向）の方が小さい時よりＣｌｃが大きくなり、（式１）よりΔＶｌｃが小さくなる。
以上のことから、ある表示信号レベル（Ｌ０）にて最適なコモン電圧（ＶＣＯＭ０）を決定した場合には、それ以下の表示信号レベル（Ｌ＜Ｌ０）では最適なコモン電圧（ＶＣＯＭ）は大きい側にずれてしまう（ＶＣＯＭ＞ＶＣＯＭ０）。
【特許文献１】特開平６−１３８８４２号公報
【発明の開示】
【発明が解決しようとする課題】
【００１０】
実際のプロジェクタの使用環境においては、動画／静止画など様々なレベルの信号が入力され表示される。よって、コモン電圧調整時に使用した単一レベルとは異なったレベルの画像信号が液晶パネルに印加されることになる。これにより、１つの画像信号レベルでは最適であったコモン電圧がずれることになり、表示品位の低下、さらには液晶の劣化を引き起こす可能性がある。
本発明は、表示画像に応じて発生する上記のようなコモン電圧のずれをなくし、表示品位を低下させない表示装置およびその調整方法を提供することを課題とする。
【課題を解決するための手段】
【００１１】
上記の課題を解決するために、本発明の表示装置は、コモン電極に対し画素電極に画像データに応じた交流電圧を印加して液晶を駆動する液晶パネルを使用した表示装置であって、前記画像信号に応じて前記画素電極を駆動するパネル駆動手段と、前記液晶パネルに表示する画像信号のレベル分布を取得する信号レベル解析手段と、前記画像信号のレベル分布に応じて、前記コモン電極電圧を制御するコモン電圧制御手段とを有することを特徴とする。
【００１２】
前記コモン電圧制御手段は、複数の画像信号レベルにて各々フリッカが最小になるよう調整された複数のコモン電圧を基に生成された調整データを有し、前記画像信号のレベル分布と前記調整データを基に前記コモン電圧を可変制御するものであることが好ましい。
【００１３】
また、本発明の調整方法は、上記表示装置の調整方法であって、前記液晶パネルに対し所望の階調のラスタ画像を表示させる画像信号を前記パネル駆動手段に入力し、前記コモン電圧を変化させて表示画像のフリッカ成分が最小になる電圧を検知する工程を複数の階調のラスタ画像にて実施することにより、表示階調とフリッカ成分が最小になる電圧との関係を取得し、前記コモン電圧制御手段に設定すること特徴とする。フリッカ成分および該フリッカ成分が最小になる電圧は、例えば特許文献１に記載されているようにフォトセンサを用いて検知する。
【００１４】
この調整方法は一部を表示装置内にプログラムとして搭載してもよい。すなわち、本発明の表示装置は、前記パネル駆動手段にて前記液晶パネルに対し複数の各階調のラスタ画像を表示させる手段と、それぞれの階調のラスタ画像を表示した状態で前記コモン電圧を変化させる手段と、表示画像のフリッカ成分が最小になるコモン電圧を検知する手段と、表示階調とフリッカ成分が最小になる電圧との関係を記憶する手段とをさらに有していてもよい。ここで、表示画像のフリッカ成分が最小になるコモン電圧を検知する手段は、例えば、前記フォトセンサの出力のピーク−ピーク値が最小であることの検出出力を検知する手段である。
【発明の効果】
【００１５】
本発明によれば、実使用環境におけるコモン電圧のずれを極力減少させることができ、表示品位の低下を防ぐことができる。
【発明を実施するための最良の形態】
【００１６】
以下、本発明の実施態様を列挙する。
［実施態様１］  コモン電極に対し画素電極に画像信号に応じた交流電圧を印加して駆動する液晶を使用した表示装置であって、
少なくとも、
前記液晶パネルに表示する画像信号のレベル分布を取得する信号レベル解析手段と、
前記液晶パネルの画素電極を駆動するパネル駆動手段と、
前記液晶パネルのコモン電極電圧を可変供給できるコモン電圧供給手段と、
前記コモン電圧供給手段に対し可変制御を行うコモン電圧制御手段と
を有し、
前記コモン電圧制御手段は、前記画像信号のレベル分布に応じて、前記コモン電極電圧を変化させることを特徴とする。
【００１７】
［実施態様２］  前記コモン電圧制御手段は、複数の画像信号レベルにて各々フリッカが最小になるよう調整された複数のコモン電圧を元に生成された調整データを有し、
前記画像信号のレベル分布と前記調整データを元に前記コモン電圧供給手段に可変制御を行うことを特徴とする。
【００１８】
［実施態様３］  コモン電極に対し画素電極に画像データに応じた交流電圧を印加して駆動する液晶を使用した表示装置であって、
前記液晶パネルに対し任意の階調のラスタ画像を表示するパネル駆動手段と、
前記液晶パネルのコモン電極電圧を可変供給できるコモン電圧供給手段と、
前記コモン電圧供給手段に対し可変制御を行うコモン電圧制御手段と
を有し、
前記パネル駆動手段にてラスタ画像を表示し、表示画像のフリッカ成分が最小になるように前記コモン電圧を変化させることを、複数のラスタ画像の階調にて実施することにより前記調整データを取得する調整手法を用いることを特徴とする。
【実施例】
【００１９】
以下、本発明の好ましい実施の形態を実施例を挙げて説明する。
［第１の実施例］
図１は、本発明の一実施例に係る液晶駆動回路の構成を示した図である。
図１において、画像信号Ｖｓｉｇ（Ｒ）、Ｖｓｉｇ（Ｇ）、Ｖｓｉｇ（Ｂ）は、図示しない信号処理部にてフレームレート変換、解像度変換など、液晶パネル１，２，３の表示に適した画像に変換された信号である。画像信号Ｖｓｉｇ（Ｒ）、Ｖｓｉｇ（Ｇ）、Ｖｓｉｇ（Ｂ）は、液晶駆動回路４，５，６にて、液晶パネルのインターフェースに適した変換処理（相展開、信号ネガポジ反転や交流化）、および駆動タイミングパルスの生成が行われ、ＬＣｓｉｇ（Ｒ）、ＬＣｓｉｇ（Ｇ）、ＬＣｓｉｇ（Ｂ）や駆動パルスＴＧｓｉｇ（Ｒ）、ＴＧｓｉｇ（Ｇ）、ＴＧｓｉｇ（Ｂ）が生成される。
【００２０】
ここで、ＬＣｓｉｇ（Ｒ）、ＬＣｓｉｇ（Ｇ）、ＬＣｓｉｇ（Ｂ）は相展開された複数のアナログ映像信号であり、ＴＧｓｉｇ（Ｒ）、ＴＧｓｉｇ（Ｇ）、ＴＧｓｉｇ（Ｂ）は水平、垂直走査の基準パルスや転送パルス、走査方向制御信号など駆動タイミングを決定するパルスである。これらの信号は、従来例で示した図１１の波形と同等である。
【００２１】
一方、ＤＡコンバータ７，８，９ではＤＣ電圧であるコモン電圧ＶＣＯＭ（Ｒ）、ＶＣＯＭ（Ｇ）、ＶＣＯＭ（Ｂ）が生成され、パネルに供給される。コモン電圧ＶＣＯＭ（Ｒ）、ＶＣＯＭ（Ｇ）、ＶＣＯＭ（Ｂ）は、コモン電圧調整において変化させる必要があるため、マイコン１０により可変制御可能な構成とする。
【００２２】
また、画像信号Ｖｓｉｇ（Ｒ）、Ｖｓｉｇ（Ｇ）、Ｖｓｉｇ（Ｂ）は、さらに画像解析回路１１にも入力し、画像のレベル分布の情報が算出される。レベル分布とは、表示される画像信号がＲｅｄ／Ｇｒｅｅｎ／Ｂｌｕｅそれぞれどのような信号レベルと頻度で構成されているかを示す情報であり、例えばヒストグラムがそれにあたる。
マイコン１０は上記ヒストグラムを定期的に取得し、保存されている調整データと取得したヒストグラムから最適なコモン電圧を算出し、ＤＡコンバータ７，８，９に対しコモン電圧設定を行う。
【００２３】
マイコン１０、信号解析回路１１の詳細処理に関して、図２および図３に沿って説明する。ここでは、Ｒｅｄ／Ｇｒｅｅｎ／Ｂｌｕｅ全ての回路において同じ処理になるので、Ｒｅｄの回路に関してのみ説明する。
【００２４】
＝＝＝  信号解析回路１１  ＝＝
（ステップ２−ａ）  画像信号Ｖｓｉｇ（Ｒ）のヒストグラムＧ１を定期的に算出する（図２（ａ））。
ここで算出されるヒストグラムは、本実施例におけるシステムの応答速度を考慮し、ある一定期間累積して平均化した値とする。
（ステップ２−ｂ）  ヒストグラムＧ１に対して重心（Ｌｅｖｅｌ＝ｘ）を求め（図２（ｂ））、これを現在の画像データの最多レベルと判定する（図２（ｃ））。
これは最多レベルを判定する方法の一例であり、他の方法であってもかまわない。
上記（ステップ２−ａ）（ステップ２−ｂ）の処理を定期的に繰り返す。
【００２５】
＝＝  マイコン１０  ＝＝
（ステップ３−ａ）  信号解析回路１１から最多レベル（ｘ）の情報を受信する。
（ステップ３−ｂ）  最多レベル（ｘ）の時の最適コモン電圧ＶＣＯＭを、複数の調整データから算出する。
例えば、Ｘｉ＜ｘ＜Ｘｉ＋１であり、Ｘｉ時の最適コモン電圧をＶＣＯＭｉ、Ｘｉ＋１時の最適コモン電圧をＶＣＯＭｉ＋１という調整データであった時、
ＶＣＯＭ＝（ＶＣＯＭｉ＋１−ＶＣＯＭｉ）＊（ｘ−Ｘｉ）／（Ｘｉ＋１−Ｘｉ）＋ＶＣＯＭｉ ‥‥‥（式２）
のように補間処理にて求める。
（ステップ３−ｃ）  コモン電圧＝ＶＣＯＭになるような設定値をＤＡコンバータ７，８，９に設定する。
上記処理を定期的に繰り返し行うことにより、入力画像（＝表示画像）に対して常に最適なコモン電圧にて駆動することが可能である。
【００２６】
次に、上記に記載した調整データの作成方法および調整手法に関して説明する。
コモン電圧調整のフローを図４に沿って説明する。
（ステップ１）  階調Ｘｉ  （ｉ＝１〜Ｌ）のラスタ画像（Ｒｅｄ）を表示する。
（ステップ２）  フリッカが最小になるようにコモン電圧（Ｒｅｄ）を変化させる。フリッカが最小の時のコモン電圧をＶｃｏｍ（Ｒ）ｉとして格納する。
（ステップ３）  階調Ｘｉ  （ｉ＝１〜Ｌ）のラスタ画像（Ｇｒｅｅｎ）を表示する
（ステップ４）  フリッカが最小になるようにコモン電圧（Ｇｒｅｅｎ）を変化させる。この時のコモン電圧をＶｃｏｍ（Ｇ）ｉとして格納する。
（ステップ５）  階調Ｘｉ  （ｉ＝１〜Ｌ）のラスタ画像（Ｂｌｕｅ）を表示する。
（ステップ６）  フリッカが最小になるようにコモン電圧（Ｂｌｕｅ）を変化させる。この時のコモン電圧をＶｃｏｍ（Ｂ）ｉとして格納する。
必要な階調の個数（Ｌ）分だけ（ステップ１）〜（ステップ６）を繰り返す。Ｌは大きいほど高精度の調整が可能であるが、逆に調整時間が長くなるので、Ｌは性能と調整時間の兼ね合いで決定されるべき値である。
【００２７】
以上のような調整により、Ｒｅｄ／Ｇｒｅｅｎ／Ｂｌｕｅそれぞれにおいて、Ｘｉに対するＶＣＯＭｉ  （ｉ＝１〜Ｌ）の調整データが生成される。この複数の調整値は、図３に示すように、マイコン１０から制御可能なＲＯＭ３０などに格納され、図３に示す処理の際に使用される。
【００２８】
［第２の実施例］
図５は、本発明の第２の実施例に係る液晶駆動回路の構成を示した図である。  本実施例は、第１の実施例に対し、コモン電圧をエリア単位で独立に設定できる点が異なっている。
図５において、液晶パネル２１，２２，２３や液晶駆動回路２４，２５，２６は第１の実施例における液晶パネル１，２，３や液晶駆動回路４，５，６と同じであるので詳細説明は省略する。
【００２９】
画像解析回路３１は、図６に示すように１画面（１フレーム）をＭ×Ｎに分割し、分割したエリア単位でのレベル情報を、画像信号Ｖｓｉｇ（Ｒ）、Ｖｓｉｇ（Ｇ）、Ｖｓｉｇ（Ｂ）から定期的に算出する。ここでレベル情報は、分割エリア内における平均信号レベルなどである。
一方、コモン電圧発生回路２７，２８，２９では図６のような分割エリアごとに設定されたコモン電圧ＶＣＯＭ（Ｒ）（ｈ，ｖ）、ＶＣＯＭ（Ｇ）（ｈ，ｖ）、ＶＣＯＭ（Ｂ）（ｈ，ｖ）が生成され、パネル駆動タイミングに同期して供給される。
【００３０】
コモン電圧発生回路２７，２８，２９は、図７に示すように、分割エリアごとのコモン電圧データを格納するＲＡＭ３２、コモン電圧を発生するＤＡコンバータ３３、駆動タイミングで同期をとりコモン電圧を発生させるタイミング発生器３４で構成され、ＲＡＭ３２はマイコン３０により変更可能な構成とする。
マイコン３０は上記画像解析回路３１からの平均信号レベルを定期的に取得し、保存されている調整データと取得した平均信号レベルから最適なコモン電圧を算出し、コモン電圧発生回路２７，２８，２９に対しコモン電圧設定を行う。
【００３１】
マイコン３０および画像解析回路３１の詳細処理に関して、図８に沿って説明する。Ｒｅｄ／Ｇｒｅｅｎ／Ｂｌｕｅ全ての回路において同じ処理になるので、ここでは、Ｒｅｄの回路に関してのみ説明する。
（１）画像解析回路３１では、図８（ａ）に示すように、画像信号Ｖｓｉｇ（Ｒ）のエリア単位で平均化したレベルｘ（ｈ，ｖ）を算出する。ここで算出するレベルは、本実施例におけるシステムの応答速度を考慮し、ある一定期間平均した値とする。
【００３２】
（２）マイコン３０は、図８（ｂ）に示すように、定期的にｘ（ｈ，ｖ）を取得し、格納されている調整データＶＣＯＭ（Ｒ）ｉ（ｈ，ｖ）（ｉ＝１〜Ｌ）から、レベルｘ（ｈ，ｖ）において最適なコモン電圧ＶＣＯＭ（Ｒ）（ｈ，ｖ）を算出する。
例えば、エリア（ｈ，ｖ）における平均レベルｘ（ｈ，ｖ）がＸｉ＜ｘ（ｈ，ｖ）＜Ｘｉ＋１であり、Ｘｉ時の最適コモン電圧がＶＣＯＭ（Ｒ）ｉ（ｈ，ｖ）、Ｘｉ＋１時の最適コモン電圧がＶＣＯＭ（Ｒ）ｉ＋１（ｈ，ｖ）という調整データであった時、
ＶＣＯＭ（Ｒ）（ｈ，ｖ）＝｛ＶＣＯＭ（Ｒ）ｉ＋１（ｈ，ｖ）−ＶＣＯＭ（Ｒ）ｉ（ｈ，ｖ）｝＊（ｘ−Ｘｉ）／（Ｘｉ＋１−Ｘｉ）＋ＶＣＯＭ（Ｒ）ｉ（ｈ，ｖ）      ‥‥‥（式３）
のように補間処理にて求める。
【００３３】
（３）  上記計算をエリア全て（ｈ＝１〜Ｍ、ｖ＝１〜Ｎ）にて行い、最適コモン電圧データＶＣＯＭ（Ｒ）（ｈ，ｖ）を生成する。
（４）ＶＣＯＭ（Ｒ）（ｈ，ｖ）に相当する設定値を、コモン電圧発生回路２７，２８，２９に設定する。
上記処理を定期的に繰り返し行うことにより、入力画像（＝表示画像）に対して常に最適なコモン電圧にて駆動することが可能である。
【００３４】
次に、上記に記載した調整データの作成方法および調整手法に関して説明する。
コモン電圧調整のフローを図９に沿って説明する。
（ステップ２１）  階調Ｘｉ  （ｉ＝１〜Ｌ）のラスタ画像（Ｒｅｄ）を表示する。
（ステップ２）  コモン電圧（Ｒｅｄ）を全てのエリア均一に変化させる。この時、各エリアにてフリッカが最小となるようなコモン電圧をＶＣＯＭ（Ｒ）ｉ（ｈ，ｖ）として格納する。
【００３５】
（ステップ３）  階調Ｘｉ  （ｉ＝１〜Ｌ）のラスタ画像（Ｇｒｅｅｎ）を表示する。
（ステップ４）  コモン電圧（Ｇｒｅｅｎ）を全てのエリア均一に変化させる。この時、各エリアにてフリッカが最小となるようなコモン電圧をＶＣＯＭ（Ｇ）ｉ（ｈ，ｖ）として格納する。
（ステップ５）  階調Ｘｉ  （ｉ＝１〜Ｌ）のラスタ画像（Ｂｌｕｅ）を表示する。
（ステップ６）  コモン電圧（Ｂｌｕｅ）を全てのエリア均一に変化させる。この時、各エリアにてフリッカが最小となるようなコモン電圧をＶＣＯＭ（Ｂ）ｉ（ｈ，ｖ）として格納する。
【００３６】
必要な階調の個数（Ｌ）分だけ（ステップ１）〜（ステップ６）を繰り返す。Ｌは大きいほど高精度の調整が可能であるが、逆に調整時間が長くなるので、Ｌは性能と調整時間の兼ね合いで決定されるべき値である。
以上のような調整により、Ｒｅｄ／Ｇｒｅｅｎ／Ｂｌｕｅそれぞれにおいて、Ｘｉに対するＶＣＯＭ（＊）ｉ（ｈ，ｖ）  （ｉ＝１〜Ｌ）の調整データが生成される。この複数の調整値は、マイコン３０から制御可能なＲＯＭなどに格納され、図８（ｂ）に示す際の処理に使用される
【００３７】
以上のように上記実施例に係る表示装置によれば、実使用環境におけるコモン電圧のずれを極力減少させることができ、表示品位の低下を防ぐことができる。
【図面の簡単な説明】
【００３８】
【図１】本発明の第１の実施例に係る液晶駆動回路の構成を示す図である。
【図２】図１における画像解析回路の動作を示す図である。
【図３】図１におけるマイコンの動作を示す図である。
【図４】図１の回路における調整フローを示したフローチャートである。
【図５】本発明に係る第２の実施例に係る液晶駆動回路を示した図である。
【図６】図５の回路における画面分割の様子を示した図である。
【図７】図５におけるコモン電圧発生回路の内部ブロックを示した図である。
【図８】図５における画像解析回路およびマイコンの動作を示した図である。
【図９】図５の回路における調整フローを示したフローチャートである。
【図１０】アクティブマトリクス型液晶デバイスの構成を示した図である。
【図１１】液晶デバイスの駆動信号を示した図である。
【図１２】液晶デバイスの駆動回路構成を示した図である。
【図１３】液晶デバイスの電圧−透過率特性を示した図である。
【図１４】液晶デバイスのＴＦＴ部および画素部の等価回路を示した図である。
【符号の説明】
【００３９】
１、２、３、２１、２２、２３、１１０：液晶パネル
４、５、６、２４、２５、２６、１１１：駆動回路
７、８、９、３３：ＤＡコンバータ
２７、２８、２９、１１２：コモン電圧派生回路
１０、３０：マイコン
１１、３１：画像解析回路
３０：ＲＯＭ
３２：ＲＡＭ
３４：タイミング発生回路
１００：ゲート線
１０１：ソース線
１０２：データセレクト線
１０３、１０８：ＴＦＴ
１０４：ロードライバ
１０５：カラムドライバ
１０６：コモン電極（共通電極）
１０７：液晶
【図１】
2006163025.tif 000003
【図２】
2006163025.tif 000004
【図３】
2006163025.tif 000005
【図４】
2006163025.tif 000006
【図５】
2006163025.tif 000007
【図６】
2006163025.tif 000008
【図７】
2006163025.tif 000009
【図８】
2006163025.tif 000010
【図９】
2006163025.tif 000011
【図１０】
2006163025.tif 000012
【図１１】
2006163025.tif 000013
【図１２】
2006163025.tif 000014
【図１３】
2006163025.tif 000015
【図１４】
2006163025.tif 000016